(57)【特許請求の範囲】
【請求項１】
袖の袖山を、袖山点と袖幅線の両端とを結ぶ袖山斜線に基づく袖山曲線により形成し、身頃の袖ぐりに合わせて縫い付けた袖付き衣服において、
前記身頃を脇下部分にだぶつきがないように胴部にフィットさせ、前記袖を腕の線がすっきりと出るように腕にフィットさせて、前記身頃及び前記袖をタイトに形成すると共に、前記袖に、前記袖山曲線の袖内外切替点から袖付け角度に応じて引き出した袖山調整線に基づき、前記袖山の袖内側部分を袖取り付け方向に拡張して袖内側部分の凹みを浅くし、前記袖を太くすること無く前記袖の身頃への取り付け位置を腋窩にできる限り近づける袖付け調整部を設けたことを特徴とする袖付き衣服。
【請求項２】
袖の袖山を、袖山点と袖幅線の両端とを結ぶ袖山斜線に基づく袖山曲線により形成し、身頃の袖ぐりに合わせて縫い付けた袖付き衣服を作成する際に用いる、袖付き衣服用型紙において、
身頃を脇下部分にだぶつきがないように胴部にフィットさせた身頃部分を型取り前記身頃をタイトに形成する身頃型紙と、
袖を腕の線がすっきりと出るように腕にフィットさせた袖部分を型取り前記袖をタイトに形成すると共に、前記袖山曲線の袖内外切替点から袖付け角度に応じて引き出した袖山調整線に基づき、前記袖山の袖内側部分を袖取り付け方向に拡張して袖内側部分の凹みを浅くし、前記袖を太くすること無く前記袖の身頃への取り付け位置を腋窩にできる限り近づける袖付け調整部を設けた、袖型紙と
を有することを特徴とする袖付き衣服用型紙。
【請求項３】
前記袖山調整線は、
前記身頃型紙の袖ぐり線に基づき引かれた袖山線に、袖丈寸法から求めた袖山高さに基づく袖山点を設け、前記袖山線上に、前記袖山点から６対４に分ける位置を通る内外切替線を引いて、前記袖ぐり線が交差する位置を前記袖内外切替点とし、前記袖内外切替点から、前記袖ぐり線に対し所定の袖付け角度で、前記袖ぐり線の上方に引き出されることを特徴とする請求項２に記載の袖付き衣服用型紙。
【請求項４】
前記袖付け角度を、０度から７５度の範囲に設定することを特徴とする請求項２または３に記載の袖付き衣服用型紙。
【請求項５】
前記袖型紙は、
前記袖山曲線に基づき形成される袖外側部分を作成するための外袖型紙と、前記袖付け調整部を設ける前記袖山曲線に基づき形成される袖内側部分を作成するための内袖型紙からなることを特徴とする請求項２から４のいずれか一項に記載の袖付き衣服用型紙。
【発明の詳細な説明】
【技術分野】
【０００１】
この発明は、袖付き衣服及び袖付き衣服用型紙に関し、特に、身頃の袖ぐり（アームホール）に袖の袖山を合わせて身頃に袖を縫い付けた袖付き衣服、及びこの袖付き衣服を作成するために服地を各構成部分に裁断する際に用いる袖付き衣服用型紙に関する。
【背景技術】
【０００２】
従来、身頃の前部である前身頃と後部である後身頃の間に開けられた袖ぐりに対応して、袖の身頃取り付け端となる袖山を形成し、袖ぐりに袖山を合わせて縫い付けることにより、身頃に対し袖を取り付けた袖付き衣服が知られている。
このような袖付き衣服を作成する場合、型紙（パターン）に合わせて服地を裁断し袖付き衣服を形作る各構成部分（パーツ）を切り出すが、型紙において、袖ぐりは、袖丈を決定する袖山点と袖幅線の両端とを結ぶ前袖ぐり寸法と後ろ袖ぐり寸法に基づく斜線により形成され、袖山の高さは袖付け角度の違いにより変化する。
【０００３】
袖の身頃に対する取り付け角度である袖付け角度は、上肢を体側に沿って略真下に下ろした状態を０度とし、上肢を体側から略水平に突出させた状態を９０度とするが、袖付け角度が０度のとき袖山の高さは高くなり、袖付け角度が９０度のとき袖山の高さは低くなる（非特許文献１参照）。
従って、袖付け角度を０度とすれば、上肢を体側に沿って略真下に下ろした静立時に袖取付部を含む衣服全体の形、所謂、シルエットが美しく見えるようにすることができるので、通常、基本的姿勢である静立状態を基準にして、袖付き衣服（例えば、ジャケット）が作成されていた。
【先行技術文献】
【非特許文献】
【０００４】
【非特許文献１】文化服装学院編、「文化ファッション大系  服飾造形講座１  服飾造形の基礎」、第１版、文化服装学院  教科書出版部、２００１年４月１日、ｐ２３５
【発明の概要】
【発明が解決しようとする課題】
【０００５】
しかしながら、従来の袖付き衣服において身頃への袖の取り付けは、袖付け角度を０度とした状態、即ち、静立状態を基準にしているので、上肢を体側から略水平に突出させた状態にすべく上肢を上げようとすると、上肢を上げるのに伴って袖取付部で上方回動しようとする袖につられて身頃の脇下部分も一緒に引っ張り上げられてしまう。その結果、上肢を上げるのが容易でないばかりでなく、身頃の裾（例えば、ジャケットのウエストライン部分）がせり上がった状態になってしまうのが避けられず、シルエットの美しさを保つことができなかった。
【０００６】
そこで、上肢を上げても、それにつられて身頃の脇下部分が引っ張り上げられることがないように、袖付け角度を大きく、即ち、０度以上にすると、角度が大きくなるに連れて袖山の高さは低くなり、それに伴い袖幅も広くなる。袖幅が広くなれば、当然、袖ぐりも大きくなるので、必然的に身頃の体側部分が広がることになる。
この結果、衣服全体のバランスを考えれば袖付け角度を大きくするのにも限界があるので、限界がある中で袖付け角度を大きくしたとしても上肢の上げ難さはさほど改善されないのに、袖幅が必要以上に広くなる上に身頃の脇下部分もだぶついてしまい、本来、求めていた、袖取付部を含む衣服全体の形、所謂、美しいシルエットを形成することができなくなってしまう。
【０００７】
この発明の目的は、袖幅が必要以上に広くならず身頃の脇下部分もだぶつくことなく上肢を上げ易くして、上肢を上げたときに身頃の裾のせり上がりを極力少なくした袖付き衣服及び袖付き衣服用型紙を提供することである。
【課題を解決するための手段】
【０００８】
上記目的を達成するため、この発明に係る袖付き衣服は、袖の袖山を、袖山点と袖幅線の両端とを結ぶ袖山斜線に基づく袖山曲線により形成し、身頃の袖ぐりに合わせて縫い付けた袖付き衣服において、前記身頃を脇下部分にだぶつきがないように胴部にフィットさせ、前記袖を腕の線がすっきりと出るように腕にフィットさせて、前記身頃及び前記袖をタイトに形成すると共に、前記袖に、前記袖山曲線の袖内外切替点から袖付け角度に応じて引き出した袖山調整線に基づき、前記袖山の袖内側部分を袖取り付け方向に拡張して袖内側部分の凹みを浅くし、前記袖を太くすること無く前記袖の身頃への取り付け位置を腋窩にできる限り近づける袖付け調整部を設けたことを特徴としている。
【０００９】
上記目的を達成するため、この発明に係る袖付き衣服用型紙は、袖の袖山を、袖山点と袖幅線の両端とを結ぶ袖山斜線に基づく袖山曲線により形成し、身頃の袖ぐりに合わせて縫い付けた袖付き衣服を作成する際に用いる、袖付き衣服用型紙において、身頃を脇下部分にだぶつきがないように胴部にフィットさせた身頃部分を型取り前記身頃をタイトに形成する身頃型紙と、袖を腕の線がすっきりと出るように腕にフィットさせた袖部分を型取り前記袖をタイトに形成すると共に、前記袖山曲線の袖内外切替点から袖付け角度に応じて引き出した袖山調整線に基づき、前記袖山の袖内側部分を袖取り付け方向に拡張して袖内側部分の凹みを浅くし、前記袖を太くすること無く前記袖の身頃への取り付け位置を腋窩にできる限り近づける袖付け調整部を設けた、袖型紙とを有することを特徴としている。
【００１０】
また、この発明の他の態様に係る袖付き衣服用型紙は、前記袖山調整線が、前記身頃型紙の袖ぐり線に基づき引かれた袖山線に、袖丈寸法から求めた袖山高さに基づく袖山点を設け、前記袖山線上に、前記袖山点から６対４に分ける位置を通る内外切替線を引いて、前記袖ぐり線が交差する位置を前記袖内外切替点とし、前記袖内外切替点から、前記袖ぐり線に対し所定の袖付け角度で、前記袖ぐり線の上方に引き出されることを特徴としている。
【００１１】
また、この発明の他の態様に係る袖付き衣服用型紙は、前記袖付け角度を、０度から７５度の範囲に設定することを特徴としている。
また、この発明の他の態様に係る袖付き衣服用型紙は、前記袖型紙が、前記袖山曲線に基づき形成される袖外側部分を作成するための外袖型紙と、前記袖付け調整部を設ける前記袖山曲線に基づき形成される袖内側部分を作成するための内袖型紙からなることを特徴としている。
【発明の効果】
【００１２】
この発明によれば、袖の袖山を、袖山点と袖幅線の両端とを結ぶ袖山斜線に基づく袖山曲線により形成し、身頃の袖ぐりに合わせて縫い付けた袖付き衣服が、前記身頃を脇下部分にだぶつきがないように胴部にフィットさせ、前記袖を腕の線がすっきりと出るように腕にフィットさせて、前記身頃及び前記袖をタイトに形成すると共に、前記袖に、前記袖山曲線の袖内外切替点から袖付け角度に応じて引き出した袖山調整線に基づき、前記袖山の袖内側部分を袖取り付け方向に拡張して袖内側部分の凹みを浅くし、前記袖を太くすること無く前記袖の身頃への取り付け位置を腋窩にできる限り近づける袖付け調整部を設けたので、袖幅が必要以上に広くならず身頃の脇下部分もだぶつくことなく上肢を上げ易くして、上肢を上げたときに身頃の裾のせり上がりを極力少なくした袖付き衣服とすることができる。
また、この発明に係る袖付き衣服用型紙を用いることにより、上記袖付き衣服を実現することができる。
【図面の簡単な説明】
【００１３】
【図１】この発明の一実施の形態に係る袖付き衣服の着衣時における静立状態を示す説明図である。
【図２】図１の袖付き衣服の着衣時における側挙状態を示す説明図である。
【図３】図１の袖付き衣服の袖に設けられる袖付け調整部を袖型紙において示す説明図である。
【図４】図１の袖付き衣服の袖を作成する際に用いる袖型紙の形成方法を示す説明図である。
【図５】袖を内袖と外袖の二枚袖構成により作成する場合の袖型紙を示す説明図である。
【図６】図１の袖付き衣服との違いを説明するための比較例を示す説明図である。
【発明を実施するための形態】
【００１４】
以下、この発明を実施するための形態について図面を参照して説明する。
図１は、この発明の一実施の形態に係る袖付き衣服の着衣時における静立状態を示す説明図であり、図２は、図１の袖付き衣服の着衣時における側挙状態を示す説明図である。
図１及び図２に示すように、袖付き衣服１０は、人体上半部を覆う上着としての、例えば、ジャケットであり、胴体を包む身頃１１と、身頃１１の両側に腕を包む袖１２を有している。身頃１１の首周りには襟１３が取り付けられており、身頃１１の前あきはボタン１４で閉じることができる。
【００１５】
身頃１１は、前身頃と後身頃（図示しない）の間の側部上方に開けられた袖ぐり（アームホール）１５を有しており、身体の線に合わせて脇下部分にだぶつきがないように、胴部にフィットさせて形成されている。
袖１２は、腕の線がすっきりと出るように腕にフィットさせて形成されており、身頃１１への取り付け端部となる袖山１６を、袖ぐり１５に合わせて縫い付けることにより、身頃１１に取り付けられている。
【００１６】
身頃１１に取り付けられる袖１２は、袖付き衣服１０の着用状況、即ち、衣服を着用する場所や目的等に応じて袖付け角度が異なり、袖付け角度は、袖ぐり１５に対応する袖山１６の高さによって決定されるが、この袖付き衣服１０にあっては、袖１２の袖ぐり１５下側部分に位置する袖内側部分に、袖内側部分を袖丈方向に拡張する袖付け調整部が設けられている。
【００１７】
図３は、図１の袖付き衣服の袖に設けられる袖付け調整部を袖型紙において示す説明図である。図３に示すように、袖付け調整部１７は、袖１２を作成する際に用いられる袖型紙（袖付き衣服用型紙）１８において、袖ぐり１５の深さに対応する袖山１６の高さに基づいて描かれた袖山曲線ａの、袖内側部分となる内側袖山下底線ａ１を上方へ移動させることにより、内側袖山下底線ａ１を上方へ移動させなかった場合（想像線参照）との間で形成される領域である。袖付け調整部１７を設けることにより、袖山曲線ａの終端ｐは、袖付け調整部１７を設けない場合の袖山曲線ａの終端ｐ０に比べ、若干外側へ膨らんだ状態で上方へと移動することになる。このため、袖山曲線ａの終端ｐにより決定される袖丈を長くして、袖山１６の袖内側部分を袖取り付け方向に拡張することができる。
【００１８】
この袖付け調整部１７を設けたことにより、腕の上下左右回動支点となる腋窩近傍に位置する袖内側部分（即ち、袖１２の下端側）を腋窩にできる限り近づけて、腕上方回動時の袖１２の長さを十分確保することができる。この結果、側挙状態（図２参照）にするための袖１２の上方回動が容易にできると共に、袖１２と一体的に連動する身頃１１の脇下部分が袖１２の上方回動と一緒に引っ張り上げられることがなく、身頃１１の下端（即ち、身頃裾、図２参照）１１ａが引き吊られて上がってしまうことが無い。
つまり、袖幅が必要以上に広くならず身頃１１の脇下部分もだぶつくことなく上肢を上げ易くして、上肢を上げたときに身頃１１の裾のせり上がりを極力少なくすることができる。
【００１９】
従って、袖付き衣服１０は、着衣時、上肢を体側に沿って略真下に下ろした静立状態（図１参照）において、袖取付部を含む袖付き衣服１０全体の形、所謂、美しいシルエットを形成することができるばかりでなく、上肢の上げ下げをストレス無く容易に行うことができるのに加え、袖１２を上げるのに伴って身頃１１の下端１１ａが引き吊られることもないので、上肢を体側から略水平に突出させた側挙状態（図２参照）を含む動作状態においても、袖付き衣服１０全体に美しいシルエットを形成することができる。
【００２０】
次に、袖付け調整部１７を設けた袖付き衣服１０の具体的な作成方法を説明する。
図４は、図１の袖付き衣服の袖を作成する際に用いる袖型紙の形成方法を示す説明図である。
袖型紙１８を形成する場合、先ず、図４に示すように、袖丈寸法を求めて、求めた袖丈寸法から袖山高さを決定した後、身頃型紙の袖ぐり線ｂを写し取り、袖ぐり底を通る横直線からなる袖幅線ｃと、袖ぐり底を通り袖幅線ｃと直交する縦直線からなる袖山線ｄを引く。袖幅線ｃと、略垂直に延びる袖山線ｄの交点ｏは、袖を前部分と後部分とに分ける基点となる。
【００２１】
この袖山高さは、サイズ変動に対応して、身頃の袖ぐり寸法（前袖ぐり寸法と後ろ袖ぐり寸法を加えた寸法）を２．７〜３．３の係数で割った値とする。２．７〜３．３の係数は、上腕周り（最大太さ部分）長さが標準の場合を３として、細い場合は２．７〜２．９、太い場合は３．１〜３．３とし、必要に応じて適宜調整する。
次に、求めた袖山高さから、袖山線ｄ上の袖幅線ｃが決定され、その袖山線ｄの頂上点を袖山点ｅとする。
【００２２】
次に、前袖ぐり寸法と後袖ぐり寸法を求めて、袖山点ｅから袖幅線ｃの両側へ前後それぞれの袖ぐり寸法に対応する長さの袖山斜線ｆを引く。袖山線ｄの袖山点ｅから袖幅線ｃまでの長さが袖山高さになり、前後それぞれの袖山斜線ｆの間の袖幅線ｃが袖幅となる。
次に、袖山線ｄ上の袖山高さを袖山点ｅから、例えば６対４に分ける位置を通り、袖幅線ｃに平行な横直線からなる内外切替線ｇを引き、内外切替線ｇと前後それぞれの袖山斜線ｆが交差する袖内外切替点ｒを求める。この袖内外切替点ｒが、袖１２の内側（下側）部分（図中、ａ１参照）と外側（上側）部分（図中、ａ２参照）との切り替え点となる。
【００２３】
その後、図３に示すように、前後それぞれの袖山斜線ｆの袖内外切替点ｒを境に、袖山点ｅ側に、袖山斜線ｆに対し凸曲線からなり袖外側を形成する外側袖山曲線ａ２を形成し、終端ｐ側に、袖山斜線ｆに対し凹曲線からなり袖内側を形成する内側袖山下底線ａ１を形成するが、内側袖山下底線ａ１を形成するに際し、袖付け調整部１７を設けるために袖山調整線ｈを用いた袖山調整処理を行う。
【００２４】
袖山調整処理は、前後それぞれの袖山斜線ｆの袖内外切替点ｒから終端ｐに向かって、袖山斜線ｆに対し、例えば、１５度から４５度の袖付け角度で、袖山斜線ｆの上方に袖山調整線ｈを引き、この袖山調整線ｈに対し凹曲線からなり袖内側を形成する内側袖山下底線ａ１を形成する。
つまり、袖付き衣服１０の袖山曲線ａは、袖山斜線ｆに基づき形成された袖外側を形成する外側袖山曲線ａ２と、袖山斜線ｆに変えて、袖付け角度が付加された袖山調整線ｈに基づく内側袖山下底線ａ１の、二種類の曲線により形成されている。
【００２５】
袖付け角度は、袖付き衣服１０着用時に想定される上肢の上がり角度によって調整され、例えば、袖付け角度を１５度、３０度、４５度の三種類とし、上肢の上がり角度が体側に対し９０度である場合は袖付け角度を１５度とし、同様に、上がり角度１０５度で袖付け角度３０度、上がり角度１２０度で袖付け角度４５度とする。この袖付け角度は、これに限るものではなく、上肢の上がり角度６０度から１３５度に対応して０度から７５度まで設定することができる。
【００２６】
上述したように、袖山調整処理を行い、袖ぐり１５の深さに対応する袖山１６の高さに基づいて描かれた袖山曲線ａの、袖内側部分となる内側袖山下底線ａ１を上方へ移動させる、袖山１６の袖内側部分を袖取り付け方向に拡張する袖付け調整部１７を設けたことにより、袖山曲線ａの終端ｐにより決定される袖丈が長くなり、袖内側部分の凹みが浅くなる。
【００２７】
よって、袖１２の身頃１１取付部分において、袖１２の太さを太く（袖幅を広く）することなく、即ち、袖山１６の高さを必要以上に高くすることなく、袖１２（袖山１６）の身頃１１（袖ぐり１５）への取り付け位置を、腋窩にできる限り近づけることが可能になるので、例えば、舞台用衣装のように、身頃１１及び袖１２をタイトに形成してスタイルを強調しつつ、袖１２の動きとゆとりを確保して演技上の必要に応じた袖１２の激しい動きも可能になる。
なお、袖１２は、図３の袖型紙１８からの応用で内袖と外袖の二枚袖構成により作成することができる。
【００２８】
図５は、袖を内袖と外袖の二枚袖構成により作成する場合の袖型紙を示す説明図である。袖１２を、内袖と外袖の二枚袖構成により作成する場合は、図５に示すように、一枚の袖型紙１８（図３参照）を、袖山曲線が内側袖山下底線ａ１（ａ１−１とａ１−２）からなる内袖型紙１９と、袖山曲線が外側袖山曲線ａ２からなる外袖型紙２０の二枚とし、それぞれの型紙１９，２０を用いて内袖部分と外袖部分を作成すればよい。この場合、袖１２全体における外袖部分と内袖部分の幅寸法割合を、例えば、６（外袖）対４（内袖）とし、外袖部分の幅寸法割合は、内袖幅を下回らないようにする。
【００２９】
また、袖内外切替点ｒで裁断された、内側袖山下底線ａ１−１からなる内袖前部分と、内側袖山下底線ａ１−２からなる内袖後部分とを、終端ｐを一致させた状態で縫い付け、一枚の続きパターンの内袖を形成する。このとき、内袖前部分と内袖後部分の接合部分（図５中、二重丸参照）となる、終端ｐを通る線は、内袖前部分と内袖後部分を続きパターンとするため、直線とする。なお、図中、袖山点ｅ及び袖山曲線ａの終端ｐは、一枚袖構成（図３参照）における袖山点ｅ及び袖山曲線ａの終端ｐに対応するものである。
ここで、上記構成を有する袖付き衣服１０と袖付け調整部１７を設ける袖山調整処理を行わない袖付き衣服との違いを説明する。
【００３０】
図６は、図１の袖付き衣服との違いを説明するための比較例を示す説明図である。
この発明に係る袖付き衣服１０とは異なり、袖付け調整部１７を設ける袖山調整処理を行わない袖付き衣服２１の場合、図６に示すように、着衣時、上肢を体側から上方へ上げようとすると、十分に上げきらない上げ始めであっても、上肢を上げるのに伴って袖取付部で上方回動しようとする袖２２につられて身頃２３の体側（脇）部分も一緒に引っ張り上げられてしまう。
このため、上肢を上げるのが容易でないばかりでなく、身頃２３の下端（裾）２３ａ、即ち、袖付き衣服２１のヘム（裾）ライン部分（図６、横線参照）が、上肢を体側に沿って略真下に下ろした静立時（図６、右袖参照）に比べ、極端に上方へとせり上がった状態（図６、左袖参照）になってしまうのが避けられなかった。
【００３１】
これに対し、この発明に係る袖付き衣服１０（図１，２参照）にあっては、袖付け調整部１７を設ける袖山調整処理を行っているので、上肢の上方回動時においても、袖１２の袖内側部分の長さを十分確保すると共に、袖１２（袖山１６）の身頃１１（袖ぐり１５）への取り付け位置を腋窩にできる限り近づけているので、袖１２を上げるのが容易にでき、また、袖１２を上げるのに伴って身頃１１が引き吊られて上がってしまうことを極力防止することができる。
従って、身頃１１の下端１１ａ、即ち、袖付き衣服１０のヘムライン部分は、上肢を上方へ回動した側挙時にも上方へとせり上がることは無く、上肢を体側に沿って略真下に下ろした静立時（図１参照）と比べても、殆ど変化しない状態（図２参照）になっている。
【００３２】
このように、袖付き衣服１０は、袖付け調整部１７を設ける袖山調整処理を行うことにより、袖幅が必要以上に広くならず身頃の脇下部分もだぶつくことなく上肢を上げ易くして、上肢を上げたときに身頃の裾のせり上がりを極力少なくした袖付き衣服、即ち、上肢を体側に沿って略真下に下ろした静立状態（図１参照）或いは上肢を体側から略水平に突出させた側挙状態（図２参照）に、自由に変化させることができると共に、肩先から上腕部迄の袖１２の外側部分がなだらかな山形線により描かれた美しいラインを保持しつつ、上方回動しようとする袖１２につられて身頃１１の脇下部分も一緒に引っ張り上げられてしまい、身頃１１の裾がせり上がった状態になってしまうことがないように、袖１２が身頃１１に取り付けられている袖付き衣服、とすることができる。
【００３３】
また、この発明に係る袖型紙１８（内袖型紙１９、外袖型紙２０）を用いて袖付き衣服を形成することにより、袖付け調整部１７を設ける袖山調整処理を行った、袖取付部を含む衣服全体の形が美しく見える状態を保持しつつ上肢を上げ易くして、着易さと機能性を備えた袖付き衣服１０を形成することができる。
なお、この発明に係る袖付き衣服１０は、上記実施の形態において例示したジャケットに限るものではなく、例えば、インナーＴシャツや袖付線がデザイン変化したもの等、身頃に袖が取り付けられている形態の袖付き衣服であれば、適応することができる。
【符号の説明】
【００３４】
１０，２１  袖付き衣服
１１，２３  身頃
１１ａ，２３ａ  下端
１２，２２  袖
１３  襟
１４  ボタン
１５  袖ぐり
１６  袖山
１７  袖付け調整部
１８  袖型紙
１９  内袖型紙
２０  外袖型紙
ａ  袖山曲線
ａ１，ａ１−１，ａ１−２  内側袖山下底線
ａ２  外側袖山曲線
ｂ  袖ぐり線
ｃ  袖幅線
ｄ  袖山線
ｅ  袖山点
ｆ  袖山斜線
ｇ  内外切替線
ｈ  袖山調整線
ｐ  終端
ｒ  袖内外切替点
【図１】
0005391377.tif 000002
【図２】
0005391377.tif 000003
【図３】
0005391377.tif 000004
【図４】
0005391377.tif 000005
【図５】
0005391377.tif 000006
【図６】
0005391377.tif 000007